(57)【要約】【課題】電気錠の動作状況を容易に把握可能な電気錠システムを提供する。【解決手段】電気錠システム１は、施解錠操作の指令入力に基づいて錠前を電気的に施解錠制御するものであり、電気錠１０と管理装置２０とを備えて構成される。電気錠１０は、施解錠操作の指令入力に伴う一連の動作履歴を電気錠動作情報として記憶する機能と、この電気錠動作情報を通信出力する機能とを有する。管理装置２０は、電気錠１０との間で相互にデータ通信可能にネットワーク接続され、電気錠１０から通信出力される電気錠動作情報の取得が可能であり、この取得した電気錠動作情報から電気錠１０の動作状況を把握できる。【選択図】図１
2008127869.tif 000002
【特許請求の範囲】
【請求項１】
施解錠操作の指令入力に基づいて錠前を電気的に施解錠制御する電気錠システムにおいて、
前記施解錠操作の指令入力に伴う一連の動作履歴を電気錠動作情報として記憶する機能と、前記電気錠動作情報を通信出力する機能とを有する電気錠を備えたことを特徴とする電気錠システム。
【請求項２】
前記電気錠との間で相互にデータ通信可能にネットワーク接続され、前記電気錠から通信出力される前記電気錠動作情報の取得が可能な管理装置を備えたことを特徴とする請求項１記載の電気錠システム。
【発明の詳細な説明】
【技術分野】
【０００１】
本発明は、各種扉に備えた錠前を電気的に施解錠制御する電気錠システムに係り、特に、施解錠操作された際の動作履歴を記憶し、この記憶された動作履歴を必要時に通信出力可能な電気錠システムに関するものである。
【背景技術】
【０００２】
従来より、例えば商業ビルや公共施設または一般住宅等の扉には、不審者の侵入を回避するため、防犯性に富んだ電気錠システムが設けられている。この種の電気錠システムは、特定の施解錠信号により、例えばモータやソレノイドなどの駆動手段を駆動してデッドボルトを電気的に進退させ、錠前の施解錠を行っている。
【０００３】
図３はこの種の一般的な電気錠システムの概略構成を示している。図３に示す電気錠システムは、ドア１０１に設置された電気錠１０２、電気錠制御部１０３、壁に設置されて電気的な手段により電気錠１０２の施錠や解錠を決定して電気錠１０２を制御するための制御信号を出力する施解錠決定手段１０４とを備え、ドア１０１の一側が蝶番１０５にてドア枠１０６に連結されている（ドア枠１０６に開閉自在に取り付けられている）。施解錠決定手段１０４には、２線式の電線１０７によって交流電源（ＡＣ１００ＶまたはＡＣ２００Ｖ）が供給されるとともに、宅内に配設される操作表示器１０８からの遠隔操作によって電気錠制御部１０３を介して施解錠信号が伝送される。また、上記のような電気錠システムは、例えば下記特許文献１に開示されるように公知である。
【特許文献１】特開平１０−０２５９３５号公報
【発明の開示】
【発明が解決しようとする課題】
【０００４】
しかしながら、従来の電気錠システムでは、電気錠に自身の動作を記録する機能を備えていなかった。このため、電気錠がどのような動作をしていたのか、後から確認する手段がなかった。さらに説明すると、電気錠が故障した場合に、その電気錠に施解錠操作内容（例えば操作ボタンの操作履歴、電気錠内の各スイッチの信号状態、扉の開閉情報、施解錠操作回数、施解錠エラー回数など）が記録されないため、長期間の使用による機械的な故障なのか、いたずらなどによる故意の故障なのかが判断できず、故障原因に基づく適切な対応が速やかにできなかった。また、施解錠操作により解錠した場合であっても、正常に施解錠操作したことによる解錠なのか、いたずらにより不正に施解錠操作されたことによる解錠なのかが区別できず、セキュリティ面に不安があった。
【０００５】
そこで、本発明は上記問題点に鑑みてなされたものであり、施解錠操作に伴う一連の動作履歴を記憶するとともに、記憶した動作履歴を必要に応じて外部出力することができる電気錠システムを提供することを目的とするものである。
【課題を解決するための手段】
【０００６】
上記した目的を達成するために、請求項１に記載された電気錠システムは、施解錠操作の指令入力に基づいて錠前を電気的に施解錠制御する電気錠システムにおいて、
前記施解錠操作の指令入力に伴う一連の動作履歴を電気錠動作情報として記憶する機能と、前記電気錠動作情報を通信出力する機能とを有する電気錠を備えたことを特徴とする。
【０００７】
請求項２に記載された電気錠システムは、請求項１の電気錠システムにおいて、
前記電気錠との間で相互にデータ通信可能にネットワーク接続され、前記電気錠から通信出力される前記電気錠動作情報の取得が可能な管理装置を備えたことを特徴とする。
【発明の効果】
【０００８】
本発明の電気錠システムによれば、錠前の施解錠操作の指示入力に伴う一連の動作履歴を電気錠動作情報として随時記憶し、電気錠の動作状況を確認するときに電気錠動作情報を外部に通信出力することができるので、この通信出力される電気錠動作情報から電気錠の故障原因を容易に把握することができる。また、不正な施解錠操作による故障であった場合には、その対策を講じることで、セキュリティ面をさらに強化することができる。
【発明を実施するための最良の形態】
【０００９】
以下、本発明の最良の形態について、添付した図面を参照しながらそれぞれ詳細に説明する。図１は本発明に係る電気錠システムの構成を説明するための概略ブロック図、図２は同電気錠システムの動作フローチャートである。
【００１０】
図１に示すように、本例の電気錠システム１は、例えばオフィスビルやマンションなどのエントランスやホテルの宿泊部屋などの扉に設けられた電気錠１０と、管理室などに設置された管理装置２０とが、例えばインターネットやEthernet（登録商標）などの通信手段を介してネットワーク接続されている。そして、電気錠１０は、施解錠操作の指示入力に伴う一連の動作履歴を電気錠動作情報として随時記憶する機能と、この記憶した電気錠動作情報を必要に応じてネットワークを介して管理装置２０に通信出力する機能とを有する。また、管理装置２０は、電気錠１０からネットワークを介して通信出力される電気錠動作情報を読み取り、この読み取った電気錠動作情報に基づいて電気錠１０の動作状況を把握するものである。
【００１１】
なお、以下では、マンションのエントランスに配設され、所定の施解錠操作をして錠の施解錠を行う電気錠１０と、管理室に設置された管理装置２０とがインターネットやEthernet（登録商標）などの通信手段を介してネットワーク接続して構成された例として説明するが、これに限定されるものではない。すなわち、本例の電気錠システムとしては、例えばテンキーによる暗証番号入力方式によって施解錠操作の指示入力を行う電気錠システム、リモコンなどの無線型キーや携帯電話を用いて施解錠操作の指示入力を行うリモコン式の電気錠システム、非接触式ＩＣカードを用いた非接触式によって施解錠操作の指示入力を行う電気錠システムなど、種々の電気錠システムに採用することができる。
【００１２】
まず、図１を参照しながら本例の電気錠システム１の構成について説明する。図１に示すように、電気錠システム１は、電気錠１０と、管理装置２０とを備えて概略構成される。以下、各構成要件について詳細に説明する。
【００１３】
電気錠１０は、例えば扉などの所定箇所に配設され、施解錠入力部１１と、記憶部１２と、電気錠制御部１３と、電気錠側通信部１４と、駆動機構１５と、電源部１６とを備えて構成される。
【００１４】
施解錠入力部１１は、例えば暗証番号入力によって施解錠操作の指示入力を行うためのテンキーや操作キー、リモコンなどの無線型キーや携帯電話から送信された施解錠情報（施解錠操作の指示入力）を読み取るための情報読取器、磁気カード，ＩＣカード，非接触型ＩＣチップやＲＦＩＤタグ（Radio Frequency Identification  Tag ）を搭載した非接触型ＩＣカードなどの各種カード状記憶媒体から施解錠情報（施解錠操作の指示入力）を読み取るカードリーダなど、利用者の施解錠操作の指示入力に基づく施解錠情報（錠前を施解錠するために必要な情報）を取得するための施解錠操作機器で構成され、扉や扉近傍の壁の所定箇所に設けられる。
【００１５】
また、施解錠入力部１１は、施解錠操作の指示入力に伴う操作状況（例えば施解錠操作内容、電気錠１０の施解錠動作内容、施解錠動作回数、施解錠操作のエラー回数など）や施解錠操作の指示入力時のモニタ情報（例えば錠前の施解錠状態信号や扉の開閉状態信号）など、施解錠操作の指示入力に伴う一連の動作履歴を電気錠動作情報として取得し、この取得した電気錠動作情報を記憶部１２に出力する。
【００１６】
記憶部１２は、例えば電気的に内容の書き換えが可能なＥＥＰＲＯＭなどの半導体メモリで構成され、施解錠入力部１１が取得した電気錠動作情報を記憶している。また、記憶部１２は、施解錠入力部１１からの施解錠情報が正当な認証情報であるか否かを判別するために用いられる認証用施解錠情報を記憶している。さらに、記憶部１２は、電気錠動作情報や認証用施解錠情報の他、電気錠１０を構成している各機器の機器情報、電気錠１０全体の制御に関する各種データを記憶している。
【００１７】
電気錠制御部１３は、例えばＣＰＵやＲＯＭ、ＲＡＭなどのマイクロコンピュータで構成される。電気錠制御部１３は、施解錠入力部１１からの施解錠情報と、記憶部１２に予め記憶された認証用施解錠情報とを照合してその正当性を判別し、正常に認証したときのみ、そのときの電気錠１０の状態（錠前の施解錠状態や扉の開閉状態）に応じて錠前を施解錠制御している。また、電気錠制御部１３は、錠前の施解錠に関する施解錠情報の入出力制御の他、錠前の施解錠時に駆動機構１５を駆動させるための駆動制御信号の出力、電源部１６から駆動機構１５への電源供給の制御、管理装置２０との各種データの通信制御、施解錠操作の指示入力時のモニタ情報として入力される状態信号（例えば、錠前の施解錠状態信号や扉の開閉状態信号）の判別処理などを行っている。
【００１８】
電気錠側通信部１４は、管理装置２０との間でデータ通信を行うための入出力インターフェースを備え、例えばEthernet（登録商標）やインターネットなどの通信手段を介して管理装置２０との間で相互にデータ通信を行う通信機能を有している。具体的には、記憶部１２に記憶された電気錠動作情報などの各種データを管理装置２０に送信する場合や、管理装置２０から新たなデータを受信して記憶部１２に記憶させる場合に、管理装置２０との間でデータ通信が行われる。
【００１９】
駆動機構１５は、例えばモータやソレノイドなどの駆動装置と錠前で構成され、電気錠制御部１３からの駆動制御信号により錠前を施錠または解錠するべく駆動し、扉枠の係止穴に対してデッドボルトを突出（施錠時）又は引き込む（解錠時）ことにより錠前が施解錠される。
【００２０】
電源部１６は、商用電源（ＡＣ１００Ｖ）を外部電源として電源の供給を受け、各部に必要な駆動電源を供給している。なお、電源部１６は、扉の所定箇所に着脱交換可能に設けられる扉内電池ユニットで構成することもできる。
【００２１】
次に、管理装置２０は、例えばパソコンなどのネットワーク通信可能な端末装置からなり、管理装置側通信部２１と、管理制御部２２と、表示部２３とを備えて構成される。
【００２２】
管理装置側通信部２１は、電気錠１０との間でデータ通信を行うための入出力インターフェースを備え、例えばEthernet（登録商標）やインターネットなどの通信手段を介して電気錠１０との間で相互にデータ通信を行う通信機能を有している。具体的には、電気錠１０の記憶部１２に記憶された電気錠動作情報などの各種データを受信する場合や、電気錠１０に新たなデータを送信する場合に、電気錠１０との間でデータ通信が行われる。
【００２３】
管理制御部２２は、例えばＣＰＵやＲＯＭ、ＲＡＭなどのマイクロコンピュータで構成され、電気錠１０との間の通信制御や管理装置２０を構成する各部の駆動処理を制御している。また、管理制御部２２は、例えばＲＯＭやＲＡＭなどの半導体メモリで構成される記憶手段２２ａを備えており、管理装置２０を駆動する際に必要な各種データを記憶する他、電気錠１０から読み出した電気錠動作情報を記憶している。
【００２４】
表示部２３は、電気錠１０から取得して記憶手段２２ａに記憶された電気錠動作情報を表示画面上に表示している。なお、表示部２３の表示画面上に表示される電気錠動作情報は、不図示の操作部の操作により、施解錠操作内容、電気錠１０の施解錠動作内容、電気錠１０の状態、施解錠動作回数、施解錠エラー内容などの一連の動作履歴を選択的に表示することも可能である。
【００２５】
次に、上述した電気錠システム１の電気錠制御部１３が実行する処理動作について図２の動作フローチャートを参照しながら説明する。
【００２６】
待機状態から例えば施解錠ボタンなどの押下により施解錠動作の指示が電気錠１０の施解錠入力部１１に入力されると（ＳＴ１）、その入力の指示を記憶部１２に記録する（ＳＴ２：施解錠操作内容の記録）。続いて、施解錠通電前の電気錠１０の状態（錠前の施解錠状態や扉の開閉状態）を記憶部１２に記録する（ＳＴ３：電気錠内の各スイッチの信号状態の記録）。そして、入力された指示及び施解錠通電前の電気錠１０の状態に応じて錠前を施解錠通電する（ＳＴ４）。そして、その施解錠通電結果を記憶部１２に記録する（ＳＴ５：電気錠の施解錠動作内容、電気錠内の各スイッチの信号状態の記録）。また、施解錠動作回数も記憶部１２に記録する（ＳＴ６：施解錠動作回数の記録）。
【００２７】
上記錠前の施解錠通電が行われると、施解錠異常の有無を判別する（ＳＴ７）。そして、施解錠異常無しと判別すると、動作を終了して待機状態に戻る。これに対し、施解錠異常有りと判別すると、その異常を記憶部１２に記録する（ＳＴ８：施解錠エラーの記録）。そして、再施解錠通電前の電気錠１０の状態（錠前の施解錠状態や扉の開閉状態）を記憶部１２に記録する（ＳＴ９：電気錠内の各スイッチの信号状態の記録）。そして、再施解錠通電を行い（ＳＴ１０）、この再施解錠通電結果を記憶部１２に記録する（ＳＴ１１：電気錠の施解錠動作内容、電気錠内の各スイッチの信号状態の記録）。また、施解錠動作回数も記憶部１２に記録し（ＳＴ１２：施解錠動作回数の記録）、待機状態に戻る。
【００２８】
さらに、本例の電気錠システムの具体的な動作例について説明する。ここでは、施解錠カードの施解錠情報を読み取るカードリーダと、解錠または施錠を指示する操作キーとからなる施解錠入力部１１を有する電気錠１０がマンションのエントランスに設けられ、電気錠１０の動作状況を管理する管理装置２０が管理室に設置された電気錠システム１において、住人によって正常に解錠操作された際に故障が発生した場合と、不審者によって不正に解錠操作されて故障が発生した場合の処理動作を例にとってそれぞれ説明する。
【００２９】
まず、利用者によって正常に解錠操作された際に故障が発生した場合について説明する。住人は、マンションのエントランスに到着すると、エントランスの扉を解錠するため、施解錠カードを所定操作して、施解錠カードに記憶された施解錠情報をカードリーダに読み取らせる。次に、住人は、施解錠カードの施解錠情報が正常に読み取られたことを確認すると、扉の解錠意志を示すべく操作キーを操作する。そして、電気錠１０は、操作キーが操作されると、モニタ状態（錠前の施解錠状態、扉の開閉状態）から現在の電気錠１０の状態を判別し、錠前が施錠状態で扉が閉状態であることを判別すると、駆動機構１５に駆動制御信号を出力して錠前を解錠する。このとき、電気錠１０は、施解錠カードの施解錠情報をカードリーダに読み取らせて操作キーによって錠前が解錠されるまでの間の一連の動作履歴（施解錠操作内容、電気錠１０の施解錠動作内容、電気錠１０の状態、施解錠動作回数、施解錠エラー内容など）を電気錠動作情報として施解錠入力部１１が取得し、この取得した電気錠動作情報を記憶部１２に記憶している。
【００３０】
その後、電気錠１０がどのような動作をしていたかを確認するため、管理室に設置された管理装置２０を操作し、電気錠１０の通信機能を利用して電気錠１０から電気錠動作情報を読み取る。管理者は、電気錠１０から取得して管理装置２０に記憶された電気錠動作情報の内容に基づき、電気錠１０の故障原因が解錠操作によるものか、経年劣化などによる機械的な故障であるかを判別する。そして、その判別結果から、解錠操作による故障でなく機械的な故障であると判断すると、電気錠１０の故障箇所を修理して電気錠１０を正常な状態にする。
【００３１】
次に、不審者によって不正に解錠操作されて故障が発生した場合について説明する。不審者は、マンションのエントランスに到着すると、拾得した施解錠カードを所定操作（操作方法が不明なため何回も行う）して、施解錠カードに記憶された施解錠情報をカードリーダに読み取らせる。そして、不審者は施解錠カードの施解錠情報が正常に読み取られたことを確認すると、次に扉の解錠意志を示すべく操作キーを操作する。そして、電気錠１０は、操作キーが操作されると、モニタ状態（錠前の施解錠状態、扉の開閉状態）から現在の電気錠１０の状態を判別し、錠前が施錠状態で扉が閉状態であることを判別すると、駆動機構１５に駆動制御信号を出力して錠前を解錠する。このとき、電気錠１０は、施解錠カードの施解錠情報をカードリーダに読み取らせて操作キーによって錠前が解錠されるまでの間の一連の動作履歴（施解錠操作内容、電気錠１０の施解錠動作内容、電気錠１０の状態、施解錠動作回数、施解錠エラー内容など）を電気錠動作情報として施解錠入力部１１が取得し、この取得した電気錠動作情報を記憶部１２に記憶している。
【００３２】
その後、電気錠１０がどのような動作をしていたかを確認するため、管理室に設置された管理装置２０を操作し、電気錠１０の通信機能を利用して電気錠１０から電気錠動作情報を読み取る。管理者は、電気錠１０から取得した電気錠動作情報に基づき、電気錠１０の故障原因が施解錠操作によるものか、経年劣化などによる機械的な故障であるかを判別する。そして、その判別結果から、機械的な故障でなく不正な施解錠操作による故障であると判断すると、電気錠１０の故障箇所を修理するとともに、警備会社や警察に通報して不正な施解錠に対する対策を講じてセキュリティ面の向上を図る。
【００３３】
このように、本例の電気錠システム１では、錠前の施解錠操作の指示入力に伴う一連の動作履歴を電気錠動作情報として随時記憶部１２に記憶している。そして、その後に、電気錠１０がどのような動作をしていたかを確認する場合、例えば電気錠１０に動作異常が発生したときには、電気錠１０と管理装置２０とをネットワーク接続し、管理装置２０から電気錠１０の記憶部１２に記憶された電気錠動作情報をデータ通信により読み出す。これにより、読み出した電気錠動作情報から電気錠１０の故障原因を分析することで電気錠１０の故障原因を把握でき、原因の分析が容易になった。すなわち、電気錠１０がどのような動作のときに、どのような原因で、またどのような動作異常が発生したかを電気錠動作情報から読み取ることで、動作異常の原因が推測できるようになる。その結果、電気錠１０の故障原因が不正な施解錠操作によるものか、経年劣化による機械的な劣化によるものかを容易に把握することができるとともに、不正な施解錠操作による故障であった場合に、その対策を講じることができ、セキュリティ面をさらに強化することができる。
【図面の簡単な説明】
【００３４】
【図１】本発明に係る電気錠システムの構成を説明するための概略ブロック図である。
【図２】本発明に係る電気錠システムの動作フローチャートである。
【図３】従来の電気錠システムの概略構成を説明するための概要図である。
【符号の説明】
【００３５】
１  電気錠システム
１０  電気錠  
１１  施解錠入力部
１２  記憶部
１３  電気錠制御部
１４  電気錠側通信部
１５  駆動機構
１６  電源部
２０  管理装置
２１  管理装置側通信部
２２  管理制御部
２２ａ  記憶手段
２３  表示部
【図１】
2008127869.tif 000003
【図２】
2008127869.tif 000004
【図３】
2008127869.tif 000005